(57)【特許請求の範囲】
【請求項１】
斜位及び輻湊を測定する測定装置において、
瞳孔距離に合せた一対の覗き穴を備えた検査器具と、
該検査器具の前方に配置される測定板とから構成され、
前記検査器具は、覗き穴の前側に配置された中空ハウジングと、
該ハウジングの内部領域を斜め方向に分断する分割板と、
前記覗き穴の一方を選択的に開閉可能な遮蔽手段とを備え、
前記覗き穴は、前記分割板の各側に夫々開口し、各覗き穴からの通視可能領域は、前記分割板によって分断され、
前記遮蔽手段の開閉操作により、片眼遮蔽状態と、上下斜位、内外斜位及び輻湊を測定するための各通視状態とを形成し、
前記分割板による中央分断視の状態で被検者が前記測定板の横線又は縦線を見る自覚検査により斜位及び輻湊の度数を測定することを特徴とする測定装置。
【請求項２】
前記分割板は、前記ハウジングの前端まで延び、該前端において厚く、前記覗き穴近傍において薄く形成されることを特徴とする請求項１に記載の測定装置。
【請求項３】
前記測定板は、開散状態の両眼通視時に生じる視覚的な線位置のずれにより斜位又は輻湊の指標となる基準線及び測定線を備え、前記基準線は、被検者の片眼の通視可能領域に配置され、前記測定線は、被検者の他眼の通視可能領域に配置され、
前記測定板は、前記基準線及び測定線を垂直方向に配向する垂直位置と、該基準線及び測定線を水平方向に配向する水平位置とに回転可能に支持されることを特徴とする請求項１又は２に記載の測定装置。
【請求項４】
前記測定板を前記検査器具に連結可能な連結杆を更に有し、前記連結杆の基端部を連結可能な連結具が前記ハウジングの前端面に配設され、前記連結杆の先端部を連結可能な連結具が前記測定板に配設され、
前記連結杆によって前記検査器具と前記測定板とを一体的に連結するとともに、該検査器具及び測定板の間の距離を規制することを特徴とする請求項１又は２に記載の測定装置。
【請求項５】
前記測定板は、可動板を内装したパネルからなり、前記検査器具に面するパネルの表面には、基準線が表記されるとともに、可動板を露出する開口部が形成され、可動板の露出部には、測定線が表記され、前記基準線は、被検者の片眼の通視可能領域に配置され、前記測定線は、被検者の他眼の通視可能領域に配置され、前記基準線及び測定線は、前記可動板の初期位置において、直線上に整列することを特徴とする請求項４に記載の測定装置。
【請求項６】
前記連結杆及び連結具は、前記検査器具に対して前記測定板を垂直位置又は水平位置に選択的に連結可能な構造を有し、前記測定板の基準線及び測定線は、測定板の垂直位置において、垂直に配向され、測定板の水平位置において水平に配向されることを特徴とする請求項５に記載の測定装置。
【請求項７】
前記測定板は、前記基準線及び測定線の離間距離を表示する表示手段を備え、該表示手段は、可動板の変位量を前記基準線及び測定線の離間距離として表示し、該離間距離を斜位又は輻輳の度数の指標として示すことを特徴とする請求項６に記載の測定装置。
【請求項８】
前記遮蔽手段は、覗き穴を開閉可能な遮蔽板と、該遮蔽板を支持する揺動部材と、該揺動部材を揺動させる操作杆とを有し、該操作杆は、前記ハウジングに移動可能に支持され、前記操作杆の位置は、ハウジング外から操作され、
前記操作杆の移動により、前記揺動部材を揺動させ、前記遮蔽板を覗き穴閉鎖位置と覗き穴開放位置とに選択的に位置決めすることを特徴とする請求項１乃至７のいずれか１項に記載の測定装置。
【請求項９】
プリズムレンズを装着可能なレンズ挿入部が、前記覗き穴と前記ハウジングとの間に介装されることを特徴とする請求項１乃至８のいずれか１項に記載の測定装置。
【発明の詳細な説明】
【０００１】
【発明の属する技術分野】
本発明は、斜位及び輻湊の測定装置に関するものであり、より詳細には、開散状態の眼で前方の測定線を中央分断視することにより、斜位及び輻湊を自覚検査する斜位及び輻輳の測定装置に関するものである。
【０００２】
【従来の技術】
人間の目は、脳の微妙な調節により物を両眼視するように調節される。片眼で物を見るときは、目の調節力及び屈折度のみが影響するが、両眼で物を見るときには、各自の眼の両眼調節力及び両眼屈折力に加えて、両眼の協働作用である眼位・輻輳といった高度の感覚機能が微妙に影響する。目を休めた状態では、視線はずれるが、このような視線のずれは、両眼をつぶってから開いた直後に視線が瞬間的に目標に集中しない状態を意識することにより、認識することができる。
【０００３】
斜位は、遠方視の左右眼位の方向が多少異なり、左右の眼で物を両眼視する際に眼筋に不均衡が生じた状態である。斜位は、上下斜位、外斜位及び内斜位に分類される。外斜位及び内斜位は、同時に現れることはないが、上下斜位と外斜位、または上下斜位と内斜位は、合併症状として現れることがある。
【０００４】
輻輳は、近くの物を見る際に生じる眼球運動である。近くの物を両眼視する際、脳は、物に焦点を合わせるように目を調節するとともに、近くの物を一つに見るように両眼を内側に寄せる働きをする。
【０００５】
斜位を測定するには、片眼の視界を遮断し、遮断の前後で被検眼の動きを目視で確認し、被検眼の不自然な動きを観察して斜位を測定する必要がある。このような斜位測定は、暗室又は半暗室や、点滅光等を使用し、プリズムレンズを用いて両眼の視線を調節しながら斜位の修正又は回復措置を行いつつ、斜位の値を判定するという煩雑な作業を要する。このため、斜位の測定は、実際の検眼では、ほとんど省略されているのが現状である。
【０００６】
これに対し、斜位を測定する装置として、例えば、特開平８−１６４１１２号に開示される如く、高度な光学機器及び電子制御機器を使用した自覚式検査装置が知られている。この種の検査装置は、複雑且つ高価な検査機器であり、通常の眼科医院又は眼鏡店等の検査機器としては容易に普及し難い。また、この種の光学的検査機器は、斜位の検査を目的としたものであり、輻湊を測定するようには構成されていない。
【０００７】
【発明が解決しようとする課題】
本発明者は、斜位及び輻湊の双方を検査する簡易な構成の検査器具を開発し（特許３０９３９８９号）、その実用化研究を継続している。特許３０９３９８９号に開示された本発明者の測定装置は、瞳孔距離に整合した左右の覗き穴と、一方の覗き窓から前方に延びる筒体とを備える。筒体の前側には、回転板が配置され、回転板は、片眼遮蔽位置、上下斜位測定位置、内外斜位測定位置および輻輳測定位置に回転する。
【０００８】
この構成の検査器具は、複雑な電子機器や、高度な光学機器を使用することなく、斜位及び輻輳を容易に測定することができ、所期の目的を達成した。しかしながら、この検査器具では、回転部分等の可動部分が比較的多く、部品点数も多いことから、装置製造上の観点より、更に改良すべき余地が残されていた。
本発明は、かかる点に鑑みてなされたものであり、その目的とするところは、暗室等の検査設備、電子光学機器等の複雑且つ高価な設備及び機器を使用することなく、斜位及び輻湊を測定することができ、しかも、比較的可動部分が少ない簡易な構成の斜位及び輻湊の測定器具を提供することにある。
【０００９】
【課題を解決するための手段及び作用】
本発明は、上記目的を達成すべく、斜位及び輻湊を測定する測定装置において、
瞳孔距離に合せた一対の覗き穴を備えた検査器具と、
該検査器具の前方に配置される測定板とから構成され、
前記検査器具は、覗き穴の前側に配置された中空ハウジングと、
該ハウジングの内部領域を斜め方向に分断する分割板と、
前記覗き穴の一方を選択的に開閉可能な遮蔽手段とを備え、
前記覗き穴は、前記分割板の各側に夫々開口し、各覗き穴からの通視可能領域は、前記分割板によって分断され、
前記遮蔽手段の開閉操作により、片眼遮蔽状態と、上下斜位、内外斜位及び輻湊を測定するための各通視状態とを形成し、
前記分割板による中央分断視の状態で被検者が前記測定板の横線又は縦線を見る自覚検査により斜位及び輻湊の度数を測定することを特徴とする測定装置を提供する。
【００１０】
本発明の上記構成によれば、分割板が被検者の通視可能領域を分断するので、被検者は、測定板の横線又は縦線を両眼同一視できない。遮蔽手段は、片眼を過渡的に閉鎖し、眼を強制的に開散状態にする。遮蔽手段が片眼を開放したとき、被検者は、開散状態の眼で分割板の各側に測定板の横線又は縦線を見るので、線のずれを自覚する。この線のずれは、感覚機能によっては直線状態に修正できない線のずれであり、被検者の眼の斜位又は輻輳を示す指標となる。従って、本発明の測定装置によれば、測定板の横線又は縦線を見る自覚検査により斜位及び輻湊の度数を測定することができる。このような測定装置を用いた斜位・輻輳の検査においては、暗室等の検査設備、電子光学機器等の複雑且つ高価な設備及び機器を使用せずに、斜位及び輻湊を測定することができる。しかも、検査器具は、比較的可動部分が少ない簡易な構成を有する。
【００１１】
【発明の実施の形態】
本発明の好適な実施形態によれば、上記分割板は、ハウジングの前端まで延び、前端において厚く、覗き穴近傍において薄く形成される。被検者は、分割板の存在により前方の測定板を完全に中央分断視することができる。好ましくは、プリズムレンズを装着可能なレンズ挿入部が、覗き穴とハウジングとの間に介装される。更に好ましくは、上記測定板は、基準線及び測定線を備え、測定線は、開散状態の両眼通視時に基準線に対して視覚的な線位置のずれを生じ、このずれ又は段差は、斜位又は輻湊の指標となる。測定板は、基準線及び測定線を垂直方向に配向する垂直位置と、基準線及び測定線を水平方向に配向する水平位置とに回転可能に支持される。測定板は、例えば、５ｍ前方に配置され、基準線及び測定線の幅は、５cmに設定される。また、３ｍ前方に配置される測定板では、基準線及び測定線の幅は、３cmに設定される。例えば、各測定線には、連続数値が記載され、被検者は、基準線と整列する測定線の数値を読むことにより、斜位の度数を自覚する。測定板の垂直位置では、内外斜位の度数に関する自覚検査が実施され、測定板の水平位置では、上下斜位の度数に関する自覚検査が実施される。
【００１２】
本発明の他の好適な実施形態において、測定装置は、上記測定板を検査器具に連結可能な連結杆を更に有する。連結杆の基端部を連結可能な連結具がハウジングの前端面に配設され、連結杆の先端部を連結可能な連結具が測定板に配設される。連結杆によって検査器具と測定板とを一体的に連結するとともに、検査器具及び測定板の間の距離を規制することができる。測定板は、好ましくは、眼と測定板との距離が３０cmに設定されるように検査器具の約３０cm前方に配置される。好ましくは、測定板は、可動板を内装したパネルからなり、検査器具に面するパネルの表面には、基準線が表示されるとともに、可動板を露出する開口部が形成され、可動板の露出部には、測定線が表示される。基準線及び測定線は、可動板の初期位置において、直線上に整列する。基準線は、一方の被検眼の通視可能領域に配置され、測定線は、他方の被検眼の通視可能領域に配置される。更に好ましくは、測定板は、基準線及び測定線の離間距離を表示する表示手段を備え、表示手段は、可動板の変位量を基準線及び測定線の離間距離として表示する。基準線及び測定線の離間距離は、斜位又は輻輳の度数を指示する指標となる。
【００１３】
このような検査装置の構成によれば、被検者は、開散状態の眼で分割板の各側に基準線及び測定線を夫々視覚認識する。基準線及び測定線の視覚的なずれは、被検者の眼の斜位又は輻輳の度数を示す指標となり、視覚的なずれをプリズムレンズで矯正することにより、適正なプリズムレンズの度数が確定する。
好適には、連結杆及び連結具は、検査器具に対して測定板を垂直位置及び水平位置に選択的に連結可能な構造を備え、測定板の基準線及び測定線は、測定板の垂直位置において、垂直に配向され、測定板の水平位置において水平に配向される。このような構成によれば、測定板の垂直位置において、内外斜位及び輻輳の検査を実施し、測定板の水平位置において、上下斜位の検査を実施することができる。
【００１４】
本発明の更に好適な実施形態によれば、上記遮蔽手段は、覗き穴を開閉可能な遮蔽板と、遮蔽板を支持する揺動部材と、揺動部材を揺動させる操作杆とを有し、操作杆は、ハウジングに移動可能に支持される。操作杆の位置は、ハウジング外から操作され、操作杆の移動により、揺動部材は揺動し、遮蔽板を覗き穴閉塞位置と覗き穴開放位置とに選択的に位置決めする。
【００１５】
【実施例】
図１は、本発明による検査器具の実施例を示す正面図及び背面図であり、図２は、図１に示す検査器具の平面図及び側面図である。また、図３及び図４は、図１のＩ−Ｉ線、II−II線、III −III 線、図２のIV─IV線における断面図である。
【００１６】
図１において、検査器具１０は、覗き窓１１、ハウジング１２及び前端開口部１３、１４を備える。覗き窓１１は、顔面輪郭に適合した形状を有する周縁部２１と、周縁部２１の内側に位置する内装壁２２とを備える。内装壁２２には、瞳孔距離に一致する間隔Ｄを隔てた左右一対の覗き穴２０Ｒ：２０Ｌが形成される。
【００１７】
図２に示す如く、覗き窓１１は、レンズ挿入部３０を介してハウジング１１と一体的に連結される。レンズ挿入部３０は、左右一対のレンズ挿入溝３１Ｒ：３１Ｌを備え、レンズ挿入溝３１Ｒ：３１Ｌには、プリズムレンズが挿入される。レンズ挿入部３０は、覗き穴２０Ｒ：２０Ｌと連通する左右一対の通視穴３２Ｒ：３２Ｌを備え、通視穴３２Ｒ：３２Ｌの前端は、ハウジング１２内に開口する。
【００１８】
図３及び図４に示すように、通視穴３２Ｒを閉塞可能な可動遮蔽板４０が、ハウジング１２内に配置される。揺動レバー４１の上端部が、遮蔽板４０に連結され、可動レバー４２の先端部が、揺動レバー４１の下端部に関節連結される。揺動レバー４１は、支軸４５によってハウジング１２に枢着され、支軸４５を中心に枢動する。可動レバー４２は、ハウジング１２の側壁に形成したスリット１５を貫通し、ハウジング１２外に突出する。可動レバー４２の操作部４３をハウジング１２の外方に引っ張ることにより、揺動レバー４１は、支軸４５を中心に回動し、図４（Ｂ）に仮想線で示す如く、通視穴３２Ｒを開放する。
【００１９】
図１（Ｂ）に示す如く、ハウジング１２の前端開口を前端開口部１３、１４に分割する帯板１６が、ハウジング１２の対角線方向に延びる。図４に示す如く、ハウジング１２内の空間を右側空間５１Ｒ及び左側空間５１Ｌに分割する分割板５０が、ハウジング１２内の対角線方向に固定される。分割板５０の前端縁は、比較的厚く、帯板１６に連接し、分割板５０の後端縁は、前端縁に比べて薄くなっており、通視穴３２Ｒ：３２Ｌの間の領域を斜め方向に分断し、ハウジング１２に連接する。かくして、通視穴３２Ｒは右側空間５１Ｒに開口し、通視穴３２Ｌは左側空間５１Ｌに開口する。
【００２０】
図５は、検査器具１０を支持する架台の構造を例示する側面図及び背面図である。
検査器具１０を支持する架台は、ハウジング１２の側壁に固定された左右一対の回動アーム９１、連結アーム９２及び脚部９３を備える。脚部９３は、基台９４に支持され、基台９４は、キャスター９４を備える。アーム９１、９２及び脚部９３のヒンジ連結部は、図５に破線で示す如く、屈曲可能な構造を有し、検査器具１０を不使用時に下側に移動し、基台９４近傍に収納することができる。
【００２１】
図６（Ａ）及び図６（Ｂ）は、遠用測定板の構成を示す側面図及び正面図である。
遠用測定板６０は、支軸６３を中心に回転可能に支柱６１に支持される。支柱６１の下端部は、キャスターを備えた基台６２に固定される。測定板６０は、検査器具１０の５ｍ前方に配置される。
【００２２】
遠用測定板６０は、概ね正方形の正面形状を有し、水平分割線６４を境に基準部分６５及び指標部分６６に分割される。垂直基準線６７が、基準部分６５の中心に配置され、多数の垂直測定線６９が、指標部分６６に配置される。各測定線６９は、均等な幅を有し、基準線６７と整列した中心基準線６８から左右対称に昇順数値が記載される。各測定線６９の幅は、斜位の単位度数に相当する幅に設定される。図６の測定板６０は、検査器具１０から５ｍの距離に配置されることから、各測定線の幅は、５cmに設定される。
斜位検査において、被検者は、覗き窓１１の覗き穴２０Ｒ：２０Ｌに両眼を合わせ、通視穴３２Ｒを開放した状態で５ｍ先の測定板６０を両眼通視し、垂直基準線６７及び中心基準線６８の垂直整列を視覚的に確認する。左右の視線は、分割板５０によって分断されるが、被検者は、感覚機能の調節作用により、基準線６７、６８を直線状に認識する。次いで、検査員又は被検者自身が、操作部４３をハウジング１２の内方に押し込み、通視穴３２Ｒを遮蔽板４０で閉塞し、約十数秒の時間が経過した後、操作部４３をハウジング１２の外方に引っ張り、通視穴３２Ｒを再び開放する。
【００２３】
１０〜２０秒間の片眼閉鎖により、右眼は、開散状態となったことから、開散前には上下に整列して見えた基準線６７、６８は、図６（Ｃ）又は図６（Ｄ）に示す如く、左右いずれかの側にずれる。被検者は、上側の基準線６７と整列した測定線６９の数値を読込み、数値を検査員に告げ、これにより、検査員は、内外斜位の度数を知る。被検者が、中心基準線６８の右側の数値「４」（図６（Ｃ））を検査員に告げたとき、検査員は、度数４に相応する外斜位補正用のプリズムレンズを選択し、プリズムレンズをレンズ挿入部３１に挿入する。逆に、検査員は、中心基準線６８の左側の数値「３」（図６（Ｄ））を被検者から聴取したとき、度数３に相応する内斜位補正用のプリズムレンズを選択し、プリズムレンズをレンズ挿入部３１に挿入する。なお、基準線６７及び測定線６９が、片眼開散状態においても直線に見える場合、被検者には斜位異常がなく、斜位矯正の必要はない。
【００２４】
被験者は、上記初期検査と同一方法の再検査をレンズ挿入後に受け、開散状態の両眼通視の結果、基準線６７、６８が上下に整列する場合、外斜位又は内斜位の種別及び度数が確定する。再検査においても基準線６７、６８が上下に整列しない場合、プリズムレンズの度数を変更した後、再度検査を行う。このような過程は、基準線６７、６８が上下に整列するまで実施され、最終的な内斜位又は外斜位の度数が確定する。
【００２５】
図７（Ａ）は、遠用測定板の水平位置を示す正面図である。
測定板６０は、回転禁止手段の解放により、支軸６３を中心に回転する。測定板６０は、図７（Ａ）に示す上下斜位測定位置（水平位置）まで回転され、回転禁止手段を再び働かせることにより、上下斜位測定位置に固定される。左右の斜位を測定する上記検査方法と同様、被検者は、両眼通視、片眼閉鎖、片眼開放の過程を経て、図７（Ｂ）及び（Ｃ）に例示する如く、開散状態で基準線６７と整列する測定線６９の数値を検査員に告知し、検査員は、上下斜位の度数を知る。上下斜位補正用のプリズムレンズをレンズ挿入部３１に挿入され、再検査が実施され、これにより、上下斜位の度数が判定される。
【００２６】
図８は、近用検査板の構成を示す正面図、背面図及び平面図である。
近用検査板７０は、内部可動板７２を収容した２層構造の方形パネル７１からなり、十字型連結具７３が、パネル７１の背面中心部に取付けられる。連結具７３は、上下左右に十字形に配置された４つの三角形突起７３ａにより形成され、ビス７５によってパネル７１の中心部に固定される。
【００２７】
検査板７０の背面には、垂直基準線７４が中心線位置に表示される。直線７６を分断する方形開口部７８が、パネル７１の背面に開口する。可動板７２は、一対の揺動レバー７６によってパネル７１内にスライド可能に保持され、測定線７９が、基準線７６と一直線に整列する。パネル７１の下縁から下方に突出する操作部分７２ａを左右に移動することにより、可動板７２は、図１２（Ａ）及び図１２（Ｂ）に示す如く、左右に移動し、測定線７９は、基準線７４に対して相対的に変位する。
【００２８】
図８（Ｃ）に示す如く、検査結果表示手段８０が、検査板７０の背面に配設される。表示手段８０は、図８（Ｄ）に示す如く、度数表示部８１：８２から構成され、表示部８１：８２は、パネル７１の開口部８３：８４（斜線で図示する）を備える。可動板７２に表記した度数表８５：８６が開口部８３：８４から露出する。距離値指標８７、８８が、開口部８３：８４の縁部に表記される。距離値指標８７は、被検眼の位置からパネル７１までの距離に相応した度数表８５の数値を読み取るためのものであり、距離値指標８８は、３０cmの距離に相応して度数表８６の数値を読み取るための指標である。
【００２９】
図９は、検査器具１０と検査板７０とを連結する連結杆９５の構造を示す平面図、側面図及び背面図である。
連結杆９５は、長方形断面の本体９６と、本体９６の基端部から突出する嵌入突起９７と、本体９６の先端部に設けられた嵌合部９８とから構成される。図１に示す如く、検査器具１０の帯板１６には、嵌入突起９７を嵌入可能な連結部１７が配置される。嵌入突起９７は、弾性変形しながら連結部１７内に嵌入し、連結部１７に一体的に連結される。嵌合部９８は、パネル７１の突起７４（図８）に嵌合し、パネル７１に一体的に連結される。突起７４は、中心対称の十字形形態を備えるので、嵌合部９８は、パネル７１を９０度回転させた位置関係においても、突起７４に対して同様に嵌合し得る。
【００３０】
図１０（Ａ）は、連結杆９５によって検査板７０を検査器具１０の前方において係止した状態が図示されている。検査板７０は、検査器具１０から所定間隔を隔てた位置に固定される。基準線７６及び測定線７９（図８）は、検査板７０の背面に配置され、被検者から視認可能な位置に配置される。図１０（Ａ）に示す検査板７０の位置は、基準線７６及び測定線７９を垂直に配向した垂直位置であり、輻輳及び内外斜位の測定が垂直位置で行われる。パネル７１の可動板７２は、操作部分７２ａを手指で左右に移動することにより、水平方向に変位する。
【００３１】
図１０（Ｂ）は、検査板７０を９０度回転させた位置で検査器具前方に固定した状態が図示されている。図１０（Ａ）に示す検査板７０の位置は、基準線７６及び測定線７９を水平に配向した水平位置であり、この位置は、上下斜位の測定時に使用される。パネル７１の可動板７２は、操作部分７２ａを手指で上下方向に移動することにより、垂直方向に変位する。
【００３２】
図１０（Ａ）に示す形態に検査板７０を連結した状態で輻輳の検査が実施される。連結杆９５は、３０、４０、５０、６０cmの距離に相当する全長のものが予め用意されるが、輻輳検査では、距離３０cm用の連結杆９５が使用され、検査板７０は、被検者の眼から３０cmの距離に配置される。輻輳検査において、被検者は、覗き窓１１の覗き穴２０Ｒ：２０Ｌに両眼を合わせ、通視穴３２Ｒを開放した状態で検査板７０を両眼通視し、基準線７４及び測定線７９の垂直整列を視覚的に確認する。左右の視線は、分割板５０によって分断されるが、被検者は、感覚機能の調節作用により、基準線７４及び測定線７９を直線に認識する。次いで、検査員又は被検者自身が、可動レバー４２をハウジング１２の内方に押し込み、通視穴３２Ｒを遮蔽板４０で閉塞し、十数秒の時間が経過した後、可動レバー４２をハウジング１２の外方に引っ張り、通視穴３２Ｒを再び開放する。
【００３３】
１０〜２０秒程度の片眼閉鎖により、被検眼は、開散状態となったことから、開散前には上下に整列して見えた基準線７４及び測定線７９は、図１１（Ａ）又は図１１（Ｂ）に示す如く、左右いずれかの側にずれる。なお、基準線７６及び測定線７９が、開散状態で図１３（Ｃ）に示す如く直線に見える場合、被検者の輻輳は正常であり、輻輳を矯正する必要はない。
【００３４】
被検者は、基準線７６及び測定線７９が図１３（Ｃ）に示す如く直線上に整列して見える同調位置まで可動板７２を移動する。被検者が可動板７２を同調位置に移動したとき、実際には、図１２に示す如く、基準線７６及び測定線７９は離間する。検査員は、パネル背面の表示欄８２（図１２）の数値を参照し、距離値指標８８に整合する度数表８６の数値を読み取る。度数表８６の数値が、例えば、「２」であるとき、輻輳の度数が「２」と判定される。検査員は、度数２に相応する輻輳矯正用のプリズムレンズを選択し、プリズムレンズをレンズ挿入部３１に挿入した後、上記輻輳検査を再度実施し、プリズムレンズの度数を決定する。同時に、被検者の輻輳度数が確定する。
【００３５】
同様な過程により、内斜位及び外斜位の測定を行うことができる。内外斜位の測定においては、例えば、６０cm用の連結杆９５が使用され、検査板７０は、垂直位置に配向される。被検者は、検査板７０の両眼通視、片眼遮蔽、開散状態の両眼通視の過程を経て、可動板７２を同調位置（図１１（Ｃ））に移動する。この状態が、図１３（Ａ）に示されている。被検者が基準線７６及び測定線７９を垂直な直線として認識しているのに対し、基準線７６及び測定線７９は、実際には離間しており、離間距離は、表示欄８１（図１３（Ｂ））の距離値（本例では「３cm」）として示される。
【００３６】
検査員は、パネル背面の表示欄８１を参照し、距離値指標８７の数値「６０cm」に相当する度数表８５の数値（図１３（Ｂ）では数値「５」）を読み取る。検査員は更に、この数値に相応する度数の水平斜位矯正用のプリズムレンズを選択し、プリズムレンズをレンズ挿入部３１に挿入した後、上記方法の斜位検査を再度実施し、プリズムレンズの度数を決定し、同時に、被検者の斜位の種別及び度数を確定する。
【００３７】
上記検査器具１０及び検査板７０を使用して、上下斜位を測定する場合、検査板７０は、水平位置（図１０（Ｂ））に配向される。被検者は、検査板７０の両眼通視、片眼遮蔽、開散状態の両眼通視の過程を経て、可動板７２を同調位置（図１１（Ｃ））に移動する。この状態が、図１３（Ｃ）に示されている。被検者が基準線７６及び測定線７９を水平な直線として認識しているのに対し、基準線７６及び測定線７９は、実際には、表示欄８１（図１３（Ｄ））の距離値に示すとおり、「３cm」離間している。
【００３８】
検査員は、パネル背面の表示欄８１（図８（Ｄ））の数値を参照し、使用した連結杆９５の長さに相応する度数表８５の数値を読み取る。例えば、４０cm用の連結杆９５を使用した場合であれば、図１３（Ｄ）の数値「８」が、上下斜位の度数であり、この度数の上下斜位矯正用のプリズムレンズを選択し、プリズムレンズをレンズ挿入部３１に挿入した後、上記方法の斜位検査を再度実施し、プリズムレンズの度数を決定するとともに、被検者の斜位の種別及び度数を確定する。
以上、本発明の好適な実施例について詳細に説明したが、本発明は上記実施例に限定されるものではなく、特許請求の範囲に記載された本発明の範囲内で種々の変形又は変更が可能であり、該変形例又は変更例も又、本発明の範囲内に含まれるものであることは、いうまでもない。
例えば、検査器具及び検査板の各部の材質は、各部の使用目的に応じて、樹脂、金属及び繊維質材料等の各種素材から任意に選択し得る。
【００３９】
【発明の効果】
以上説明した如く、本発明によれば、暗室等の検査設備、電子光学機器等の複雑且つ高価な設備及び機器を使用することなく、斜位及び輻湊を測定することができ、しかも、比較的可動部分が少ない簡易な構成の斜位及び輻湊測定器具を提供することができる。
【図面の簡単な説明】
【図１】本発明による検査器具の実施例を示す正面図及び背面図である。
【図２】図１に示す検査器具の平面図及び側面図である。
【図３】図１のＩ−Ｉ線及びII−II線における断面図である。
【図４】図１のIII −III 線および図２のIV─IV線における断面図である。
【図５】検査器具を支持する架台の構造を例示する側面図及び背面図である。
【図６】遠用測定板の構成を示す側面図及び正面図（Ａ：Ｂ）、開散状態の眼で検査器具から測定板を見た状態を示す正面図（Ｃ：Ｄ）である。
【図７】遠用測定板の水平位置を示す正面図（Ａ）、開散状態の眼で検査器具から測定板を見た状態を示す正面図（Ｂ：Ｃ）である。
【図８】近用検査板の構成を示す正面図、背面図、平面図および部分拡大図である。
【図９】検査器具と検査板とを連結する連結杆の構造を示す平面図、側面図及び背面図である。
【図１０】連結杆によって検査板を検査器具の前方に係止した状態を示す側面図である。
【図１１】基準線及び測定線の視覚的なずれ及び視覚的な同調位置を例示する正面図である。
【図１２】可動板の変位および度数表示部の変化の態様を示す正面図である。
【図１３】内外斜位及び上下斜位の検査時における可動板の変位および度数表示部の変化の態様を示す正面図である。
【符号の説明】
１０  検査器具
１１  覗き窓
１２  ハウジング
１３：１４  前端開口部
１６  帯板
２０Ｒ：２０Ｌ  覗き穴
３０  レンズ挿入部
４０  可動遮蔽板
５０  分割板
５１Ｒ  右側空間
５１Ｌ  左側空間
６０  遠用測定板
７０  近用検査板
８０  検査結果表示手段
【図１】
0003675353.tif 000002
【図２】
0003675353.tif 000003
【図３】
0003675353.tif 000004
【図４】
0003675353.tif 000005
【図５】
0003675353.tif 000006
【図６】
0003675353.tif 000007
【図７】
0003675353.tif 000008
【図８】
0003675353.tif 000009
【図９】
0003675353.tif 000010
【図１０】
0003675353.tif 000011
【図１１】
0003675353.tif 000012
【図１２】
0003675353.tif 000013
【図１３】
0003675353.tif 000014